(57)【要約】【課題】本発明は空気清浄装置に関するもので、空気清浄フィルターの装着感を向上することができるとともに空気清浄フィルターとフィルター固定部の隙間による集じん性能低下を防ぐことができるものである。【解決手段】そしてこの目的を達成するために本発明は、吸気口２と排気口３を有する本体ケース４内に設けた空気清浄手段５と、吸気口２から室内の空気を本体ケース４内に吸気し、空気清浄手段５を介して、排気口３より室内に排気する風路に送風手段６を備え、空気清浄手段５は空気清浄フィルター部７とフィルター固定部８とから形成し、空気清浄フィルター部７はフィルター固定部８内に嵌る構成とし、フィルター固定部８の上部内面の風路風下側には支点部９を設け、フィルター固定部８の下部内面の風路風上側には保持部１０を設け、支点部９から保持部１０の風下側部までの距離は支点部９から保持部１０の風上側部までの距離より長いものである。【選択図】図３
2011017493.tif 000002
【特許請求の範囲】
【請求項１】
吸気口と排気口を有する本体ケースと、この本体ケース内に設けた空気清浄手段と、前記吸気口から室内の空気を前記本体ケース内に吸気し、前記空気清浄手段を介して、前記排気口より室内に排気する風路に送風手段を備え、前記空気清浄手段は空気清浄フィルター部とフィルター固定部とから形成し、前記空気清浄フィルター部は前記フィルター固定部内に嵌る構成とし、前記フィルター固定部の上部内面の風路風下側には支点部を設け、前記フィルター固定部の下部内面の風路風上側には保持部を設け、前記支点部から前記保持部の風下側部までの距離は前記支点部から前記保持部の風上側部までの距離より長い空気清浄装置。
【請求項２】
フィルター固定部の前記支点部は、前記フィルター固定部の上部内面から下方向に延びた凸形状の突起である請求項１に記載の空気清浄装置。
【請求項３】
フィルター固定部の前記保持部は、前記フィルター固定部の下部内面から上方向に延びた凹形状の突起である請求項１に記載の空気清浄装置。
【請求項４】
フィルター固定部の前記保持部である突起は略円弧形状である請求項３に記載の空気清浄装置。
【請求項５】
空気清浄フィルター部の上限寸法である上限空気清浄フィルター部の長手方向の風路風下側の角部から長手方向の風路風上側の角部までの距離は、前記支点部から前記保持部の風路風下側である風下側保持部までの距離とほぼ同じである請求項２に記載の空気清浄装置。
【請求項６】
空気清浄フィルター部の下限寸法である下限空気清浄フィルター部の長手方向の風路風下側の角部から長手方向の風路風上側の角部までの距離は、前記支点部から前記保持部の風路風上側である風上側保持部までの距離とほぼ同じである請求項２に記載の空気清浄装置。
【請求項７】
保持部の風路風上側にはフィルター抜け止め部を設けた請求項１〜６のいずれかに記載の空気清浄装置。
【請求項８】
フィルター固定部の上部が風路風下側に傾斜した請求項１〜７のいずれかに記載の空気清浄装置。
【発明の詳細な説明】
【技術分野】
【０００１】
本発明は、空気を浄化することのできる空気清浄装置に関する。
【背景技術】
【０００２】
従来のこの種の空気清浄装置の構成は以下のようになっていた。
【０００３】
すなわち、ファンモータを内蔵する本体と、この本体の一面に開口したフィルター固定部と、この固定部に収納されるフィルターと、前記固定部の前面を覆うように着脱自在に設けたカバーを備えた構成となっていた。
【０００４】
例えば、これに類似する先行文献は下記特許文献１に記載されている。
【先行技術文献】
【特許文献】
【０００５】
【特許文献１】特開２００９−０３４６２８号公報
【発明の概要】
【発明が解決しようとする課題】
【０００６】
上記従来例における課題は、空気清浄フィルターの装着感が悪いということであった。
【０００７】
すなわち、従来の物においては、空気清浄フィルターがフィルター固定部に嵌る構成であるが、製造のばらつきで空気清浄フィルターの寸法が大きい物と、小さい物があるので、空気清浄フィルターとフィルター固定部との間の隙間が小さい場合と大きい場合が発生し、装着感にばらつきがあった。
【０００８】
そこで、空気清浄フィルターとフィルター固定部との間の隙間に、傾斜したリブを設けて、空気清浄フィルターとフィルター固定部との間の隙間を吸収していた。
【０００９】
しかし、空気清浄フィルターとフィルター固定部が完全に塞がることはなく、集じん性能が低下する原因となっていた。
【００１０】
そこで本発明は、空気清浄フィルターの装着感の向上と空気清浄フィルターとフィルター固定部の隙間による集じん性能低下を防ぐ目的とするものである。
【課題を解決するための手段】
【００１１】
そしてこの目的を達成するために本発明は、吸気口と排気口を有する本体ケースと、この本体ケース内に設けた空気清浄手段と、前記吸気口から室内の空気を前記空気清浄手段を介して前記本体ケース内に吸気し、前記排気口より室内に排気する風路に送風手段を備え、前記空気清浄手段は空気清浄フィルター部とフィルター固定部とから形成し、前記空気清浄フィルター部は前記フィルター固定部内に嵌る構成とし、前記フィルター固定部の対向した一方内面の風下側には支点部を設け、他方内面の風上側には保持部を設け、前記支点部から前記保持部の風下側部までの距離は前記支点部から前記保持部の風上側部までの距離より長い構成とした。
【００１２】
これにより、初期の目的を達成するものである。
【発明の効果】
【００１３】
以上のように本発明は、吸気口と排気口を有する本体ケースと、この本体ケース内に設けた空気清浄手段と、前記吸気口から室内の空気を前記空気清浄手段を介して前記本体ケース内に吸気し、前記排気口より室内に排気する風路に送風手段を備え、前記空気清浄手段は空気清浄フィルター部とフィルター固定部とから形成し、前記空気清浄フィルター部は前記フィルター固定部内に嵌る構成とし、前記フィルター固定部の対向した一方内面の風下側には支点部を設け、他方内面の風上側には保持部を設け、前記支点部から前記保持部の風下側部までの距離は前記支点部から前記保持部の風上側部までの距離より長いものである。
【００１４】
すなわち、空気清浄手段は空気清浄フィルター部とフィルター固定部とから形成し、空気清浄フィルター部はフィルター固定部内に嵌る構成である。フィルター固定部の対向した一方内面の風下側には支点部を設け、他方内面の風上側には保持部を設けている。この支点部から保持部の風下側部までの距離は、支点部から保持部の風上側部までの距離より長いので、フィルター固定部内に空気清浄フィルター部を嵌める場合は、まず、空気清浄フィルター部の一端部をフィルター固定部に、風上側からフィルター固定部の保持部の風下側に挿入し、次に、空気清浄フィルター部の一端と対向した他端部を風上側からフィルター固定部の支点部に押し当てながら、フィルター固定部の内面に空気清浄フィルター部の外周面を押し当てるものである。
【００１５】
これにより、空気清浄フィルター部は、フィルター固定部の支点部を軸に回動し、空気清浄フィルター部の一端部がフィルター固定部の保持部と接触し、空気清浄フィルター部がフィルター固定部の支点部と保持部との間に固定される。
【００１６】
つまり、空気清浄フィルター部の寸法が大きい場合には、支点部と保持部の風下側部とにより固定され、空気清浄フィルター部の寸法が小さい場合には、支点部と保持部の風上側部とにより固定される。
【００１７】
これらの結果により、空気清浄フィルター部の寸法に大きな物や小さい物があっても、ほぼ一定の装着感となり、空気清浄フィルターの装着感を向上することができるとともに、空気清浄フィルターとフィルター固定部の隙間による集じん性能低下を防ぐことができるものである。
【図面の簡単な説明】
【００１８】
【図１】本発明の実施の形態１の空気清浄装置の概略図
【図２】本発明の実施の形態１の空気清浄装置の概略図
【図３】本発明の実施の形態１の空気清浄装置の概略断面図
【図４】本発明の実施の形態１の空気清浄装置の概略断面図
【図５】本発明の実施の形態１の空気清浄装置の概略断面図
【図６】本発明の実施の形態１の空気清浄装置の概略断面拡大図
【発明を実施するための形態】
【００１９】
以下、本実施形態を添付図面を用いて説明する。
【００２０】
（実施の形態１）
図１および図２および図３に示すように、本実施形態の空気清浄装置１は、吸気口２と排気口３を有する本体ケース４と、この本体ケース４内に設けた空気清浄手段５を備えている。本体ケース４は、略縦長箱形状で、前面側の側面に吸気口２を有し、天面に略四角形状の排気口３を備えている。吸気口２から室内の空気を空気清浄手段５を介して本体ケース４内に吸気し、排気口３より室内に排気する風路に送風手段６を備えている。この送風手段６は、空気清浄手段５の風路風下側に設けられている。以上の構成で、送風手段６によって、室内の空気は吸気口２から本体ケース４内に吸気し、空気清浄手段５を介して、排気口３より室内に排気されるものである。
【００２１】
本実施形態における特徴は、空気清浄手段５の構造にある。具体的には、空気清浄手段５は空気清浄フィルター部７とフィルター固定部８とから形成し、空気清浄フィルター部７はフィルター固定部８内に嵌る構成である。
【００２２】
空気清浄フィルター部７は、略縦長箱形状で略縦長四角形状の開口を有した四角筒形状の枠体部と、この枠体部内に波状に折られた濾材部が固定されている。
【００２３】
フィルター固定部８は、略縦長四角孔形状である開口部で、この開口部の上部内面の風路風下側には支点部９を設け、フィルター固定部８の開口部の下部内面の風路風上側には保持部１０を設けている。
【００２４】
ここで、支点部９から保持部１０の風下側部までの距離は、支点部から保持部の風上側部までの距離より長いものである。
【００２５】
これにより、空気清浄フィルター部７は、フィルター固定部８の支点部９を軸に回動し、空気清浄フィルター部７の一端部がフィルター固定部８の保持部１０と接触し、空気清浄フィルター部７がフィルター固定部８の支点部９と保持部１０との間に固定される。
【００２６】
つまり、空気清浄フィルター部７の寸法が大きい場合には、支点部９と保持部１０の風下側部とにより固定され、空気清浄フィルター部７の寸法が小さい場合には、支点部９と保持部１０の風上側部とにより固定される。
【００２７】
これらの結果により、空気清浄フィルター部７の寸法に大きな物や小さい物があっても、ほぼ一定の装着感となり、空気清浄フィルター部７の装着感を向上することができるとともに、空気清浄フィルター部７とフィルター固定部８の隙間による集じん性能低下を防ぐことができる。
【００２８】
また、図３に示すように、フィルター固定部８の支点部９は、フィルター固定部８の上部内面から下方向に延びた凸形状の突起である。具体的には、フィルター固定部８の支点部９の突起は、フィルター固定部８の上部内面に対して垂直下方向に延びたもので、この突起は本体ケース４の側面側から見た縦断面形状が略四角形状で、本体ケース４の左右方向の長さはフィルター固定部８の左右内面間の長さとほぼ同じである。ここで、空気清浄フィルター部７をフィルター固定部８に装着する場合に、まず、空気清浄フィルター部７の下端部をフィルター固定部８に、風上側からフィルター固定部８の保持部１０の風下側に挿入し、次に、空気清浄フィルター部７の上端部を風上側からフィルター固定部８の支点部９に当たるまで、フィルター固定部８の内面に沿わせながら押し入れ、更に、フィルター固定部８の支点部９である突起に押し当てながら、フィルター固定部８の内面に空気清浄フィルター部７の外周面を押し当てるものである。
【００２９】
これにより、空気清浄フィルター部７は、フィルター固定部８の支点部９を軸に回動し、空気清浄フィルター部７の一端部がフィルター固定部８の保持部１０と接触し、空気清浄フィルター部７がフィルター固定部８の支点部９と保持部１０との間に固定される。
【００３０】
すなわち、フィルター固定部８の支点部９は、フィルター固定部８の上部内面から下方向に延びた凸形状の突起であるので、空気清浄フィルター部７の下端部をフィルター固定部８に、風上側からフィルター固定部８の保持部１０の風下側に挿入し、次に、空気清浄フィルター部７の上端部を風上側からフィルター固定部８の内面に沿わせながら押し入れることにより、確実に空気清浄フィルター部７の上端部は、フィルター固定部８の支点部９である突起に押し当てることができる。
【００３１】
なお、支点部９は、空気清浄フィルター部７がフィルター固定部８に挿入する場合に、所定の位置で止まればよいものである。すなわち、フィルター固定部８の風下側に位置決め部材である脱臭フィルター等を装着し、この脱臭フィルター等によって、空気清浄フィルター部７が所定の位置で止まれば、位置決め部材である脱臭フィルター等を支点部９としても同様の効果を得ることができる。位置決め部材は、空気清浄フィルター部７をフィルター固定部８に挿入することにより、この挿入時の挿入力によって変形しないものであればよい。
【００３２】
なお、空気清浄フィルター部７をフィルター固定部８の上部内面に沿わせる際の摩擦により、支点部９に当たる前に、空気清浄フィルター部７が回転する場合もあるため、フィルター固定部８の上部内面を支点部９とみなしてもよい。
【００３３】
また、図３に示すように、フィルター固定部８の保持部１０は、フィルター固定部８の下部内面から上方向に延びた凹形状の突起である。具体的には、フィルター固定部８の下部内面の風下側から風上側方向へ徐々高くなるように凹形状の突起が、フィルター固定部８の下部内面から上方向に延びたものである。空気清浄フィルター部７を装着する場合には、空気清浄フィルター部７の下端部をフィルター固定部８に、風上側からフィルター固定部８の保持部１０の風下側に挿入し、次に、空気清浄フィルター部７の上端部を風上側からフィルター固定部８の支点部９に当たるまで、フィルター固定部８の内面に沿わせながら押し入れ、更に、フィルター固定部８の支点部９である突起に押し当てながら、フィルター固定部８の内面に空気清浄フィルター部７の外周面を押し当てるものである。ここで、空気清浄フィルター部７の外周面が、フィルター固定部８の保持部１０である凹形状の突起に乗り上げることにより、空気清浄フィルター部７は、フィルター固定部８の支点部９である突起と、フィルター固定部８の保持部１０である凹形状の突起とによって固定される。
【００３４】
すなわち、空気清浄フィルター部７の寸法が大きい場合には、支点部９と保持部１０である凹形状の突起の風下側部とにより固定され、空気清浄フィルター部７の寸法が小さい場合には、支点部９と保持部１０である凹形状の突起の風上側部とにより固定することができる。
【００３５】
また、図３に示すように、フィルター固定部８の保持部１０である突起は、略円弧形状である。具体的には、フィルター固定部８の下部内面の風下側から風上側方向へ徐々高くなるように略円弧形状の突起が、フィルター固定部８の下部内面から上方向に延びたものである。つまり、フィルター固定部８の支点部９からフィルター固定部８の保持部１０である突起の距離が、フィルター固定部８の下部内面の風下側から風上側方向へ徐々に長くなるものである。空気清浄フィルター部７を装着する場合には、空気清浄フィルター部７の下端部をフィルター固定部８に、風上側からフィルター固定部８の保持部１０の風下側に挿入し、次に、空気清浄フィルター部７の上端部を風上側からフィルター固定部８の支点部９に当たるまで、フィルター固定部８の内面に沿わせながら押し入れ、更に、フィルター固定部８の支点部９である突起に押し当てながら、フィルター固定部８の内面に空気清浄フィルター部７の外周面を押し当てるものである。ここで、空気清浄フィルター部７の外周面が、フィルター固定部８の保持部１０である略円弧形状の突起に乗り上げることにより、空気清浄フィルター部７は、フィルター固定部８の支点部９である突起と、フィルター固定部８の保持部１０である略円弧形状の突起とによって固定される。
【００３６】
すなわち、空気清浄フィルター部７の寸法が大きい場合には、支点部９と保持部１０である略円弧形状の突起の風下側部とにより固定され、空気清浄フィルター部７の寸法が小さい場合には、支点部９と保持部１０である略円弧形状の突起の風上側部とにより固定され、更に、空気清浄フィルター部７の寸法が大きい場合と、小さい場合との間である場合には、支点部９と保持部１０である略円弧形状の突起の風下側部と風上側部との間により固定することができる。
【００３７】
また、図４に示すように、空気清浄フィルター部７の上限寸法である上限空気清浄フィルター部１１の長手方向の風路風下側の角部から長手方向の風路風上側の角部までの距離は、支点部９から保持部１０の風路風下側である風下側保持部までの距離とほぼ同じである。ここで、上限空気清浄フィルター部１１とは、製造ばらつきにおける外形寸法が上限寸法、つまり最大許容寸法のものである。具体的には、空気清浄フィルター部７をフィルター固定部８に装着する場合に、空気清浄フィルター部７の垂直方向である長手方向の長さと、風路風上側から風路風下側への水平方向の長さとが、上限寸法である上限空気清浄フィルター部１１の、長手方向の風路風下側の角部から長手方向の風路風上側の角部までの距離が、フィルター固定部８の支点部９から、フィルター固定部８の保持部１０の風路風下側である風下側保持部までの距離とほぼ同じでものである。
【００３８】
すなわち、空気清浄フィルター部７の上限寸法である上限空気清浄フィルター部１１を装着する場合には、上限空気清浄フィルター部１１の下端部をフィルター固定部８に、風上側からフィルター固定部８の保持部１０の風下側に挿入し、次に、上限空気清浄フィルター部１１の上端部を風上側からフィルター固定部８の支点部９に当たるまで、フィルター固定部８の内面に沿わせながら押し入れ、更に、フィルター固定部８の支点部９である突起に押し当てながら、フィルター固定部８の内面に空気清浄フィルター部７の外周面を押し当てるものである。ここで、上限空気清浄フィルター部１１の外周面が、フィルター固定部８の保持部１０である風路風下側である風下側保持部の突起に乗り上げることにより、上限空気清浄フィルター部１１は、フィルター固定部８の支点部９である突起と、フィルター固定部８の保持部１０である風路風下側である風下側保持部の突起とによって固定することができる。
【００３９】
また、図５に示すように、空気清浄フィルター部７の下限寸法である下限空気清浄フィルター部１２の長手方向の風路風下側の角部から長手方向の風路風上側の角部までの距離は、支点部９から保持部１０の風路風上側である風上側保持部までの距離とほぼ同じである。ここで、下限空気清浄フィルター部１２とは、製造ばらつきにおける外形寸法が下限寸法、つまり最小許容寸法のものである。具体的には、空気清浄フィルター部７をフィルター固定部８に装着する場合に、空気清浄フィルター部７の垂直方向である長手方向の長さと、風路風上側から風路風下側への水平方向の長さが、下限寸法である下限空気清浄フィルター部１２の、長手方向の風路風下側の角部から長手方向の風路風上側の角部までの距離が、フィルター固定部８の支点部９から、フィルター固定部８の保持部１０の風路風上側である風上側保持部までの距離とほぼ同じでものである。
【００４０】
すなわち、空気清浄フィルター部７の下限寸法である下限空気清浄フィルター部１２を装着する場合には、下限空気清浄フィルター部１２の下端部をフィルター固定部８に、風上側からフィルター固定部８の保持部１０の風下側に挿入し、次に、下限空気清浄フィルター部１２の上端部を風上側からフィルター固定部８の支点部９に当たるまで、フィルター固定部８の内面に沿わせながら押し入れ、更に、フィルター固定部８の支点部９である突起に押し当てながら、フィルター固定部８の内面に空気清浄フィルター部７の外周面を押し当てるものである。ここで、下限空気清浄フィルター部１２の外周面が、フィルター固定部８の保持部１０である風路風上側である風上側保持部の突起に乗り上げることにより、下限空気清浄フィルター部１２は、フィルター固定部８の支点部９である突起と、フィルター固定部８の保持部１０である風路風上側である風上側保持部の突起とによって固定することができる。
【００４１】
また、図３および図５および図６に示すように、保持部１０の風路風上側にはフィルター抜け止め部１３を設けた。具体的には、フィルター固定部８の保持部１０の風路風上側に、保持部１０より上方向に延びた平板形状の突起である。
【００４２】
すなわち、空気清浄フィルター部７を装着する場合には、空気清浄フィルター部７の下端部をフィルター固定部８に、風上側からフィルター固定部８の保持部１０の風下側に挿入し、次に、空気清浄フィルター部７の上端部を風上側からフィルター固定部８の支点部９に当たるまで、フィルター固定部８の内面に沿わせながら押し入れ、更に、フィルター固定部８の支点部９である突起に押し当てながら、フィルター固定部８の内面に空気清浄フィルター部７の外周面を押し当てるものである。これにより、空気清浄フィルター部７は、フィルター固定部８の支点部９を軸に回動し、空気清浄フィルター部７の一端部がフィルター固定部８の保持部１０と接触し、空気清浄フィルター部７がフィルター固定部８の支点部９と保持部１０との間に固定される。ここで、下限空気清浄フィルター部１２が、フィルター固定部８の保持部１０である風路風上側である風上側保持部の突起に乗り上げ、更に、この風上側保持部の突起を乗り越えることを防止することができる。
【００４３】
また、図３および図４および図５に示すように、フィルター固定部８の上部が風路風下側に傾斜した。具体的には、フィルター固定部８の上部の風路風上側である上部風路風上側端部が、フィルター固定部８の下部の風路風上側である下部風路風上側端部より風路風下側に傾斜したものである。つまり、フィルター固定部８に空気清浄フィルター部７を装着すると、空気清浄フィルター部７の上部が下部よりも本体中央よりに傾斜するものである。
【００４４】
すなわち、空気清浄フィルター部７の上部が下部よりも本体中央よりに傾斜しているので、フィルター固定部８に空気清浄フィルター部７を装着すると、重力によって空気清浄フィルター部７がフィルター固定部８からはずれ難くなる。
【産業上の利用可能性】
【００４５】
以上のように本発明は、吸気口と排気口を有する本体ケースと、この本体ケース内に設けた空気清浄手段と、前記吸気口から室内の空気を前記空気清浄手段を介して前記本体ケース内に吸気し、前記排気口より室内に排気する風路に送風手段を備え、前記空気清浄手段は空気清浄フィルター部とフィルター固定部とから形成し、前記空気清浄フィルター部は前記フィルター固定部内に嵌る構成とし、前記フィルター固定部の対向した一方内面の風下側には支点部を設け、他方内面の風上側には保持部を設け、前記支点部から前記保持部の風下側部までの距離は前記支点部から前記保持部の風上側部までの距離より長いものである。
【００４６】
すなわち、空気清浄手段は空気清浄フィルター部とフィルター固定部とから形成し、空気清浄フィルター部はフィルター固定部内に嵌る構成である。フィルター固定部の対向した一方内面の風下側には支点部を設け、他方内面の風上側には保持部を設けている。この支点部から保持部の風下側部までの距離は、支点部から保持部の風上側部までの距離より長いので、フィルター固定部内に空気清浄フィルター部を嵌める場合は、まず、空気清浄フィルター部の一端部をフィルター固定部に、風上側からフィルター固定部の保持部の風下側に挿入し、次に、空気清浄フィルター部の一端と対向した他端部を風上側からフィルター固定部の支点部に押し当てながら、フィルター固定部の内面に空気清浄フィルター部の外周面を押し当てるものである。
【００４７】
これにより、空気清浄フィルター部は、フィルター固定部の支点部を軸に回動し、空気清浄フィルター部の一端部がフィルター固定部の保持部と接触し、空気清浄フィルター部がフィルター固定部の支点部と保持部との間に固定される。
【００４８】
つまり、空気清浄フィルター部の寸法が大きい場合には、支点部と保持部の風下側部とにより固定され、空気清浄フィルター部の寸法が小さい場合には、支点部と保持部の風上側部とにより固定される。
【００４９】
これらの結果により、空気清浄フィルター部の寸法に大きな物や小さい物があっても、ほぼ一定の装着感となり、空気清浄フィルターの装着感を向上することがとなり、空気清浄フィルターの装着感を向上することができるとともに、空気清浄フィルターとフィルター固定部の隙間による集じん性能低下を防ぐことができるものである。
【００５０】
従って、家庭用や事務所用などの、空気清浄装置として活用が期待されるものである。
【符号の説明】
【００５１】
１    空気清浄装置
２    吸気口
３    排気口
４    本体ケース
５    空気清浄手段
６    送風手段
７    空気清浄フィルター部
８    フィルター固定部
９    支点部
１０  保持部
１１  上限空気清浄フィルター部
１２  下限空気清浄フィルター部
１３  フィルター抜け止め部
【図１】
2011017493.tif 000003
【図２】
2011017493.tif 000004
【図３】
2011017493.tif 000005
【図４】
2011017493.tif 000006
【図５】
2011017493.tif 000007
【図６】
2011017493.tif 000008